(57)【要約】【課題】適応フィルタが収束する前においても、被干渉側への干渉を低減させる無線送信装置及び干渉抑圧方法を提供する。【解決手段】ＩＭＴ送信装置１００−２の適応フィルタ１０３が収束する前では、チャネル推定部１０１がＦＳＳ帯域外のパイロット信号を用いてチャネル値を推定し、推定したチャネル値を補間してＦＳＳ帯域内のチャネル値を推定する。フィルタ更新部１０２は、推定されたＦＳＳ帯域外のチャネル値及び推定されたＦＳＳ帯域内のチャネル値を用いて、適応フィルタ１０３のフィルタ係数を更新して収束させる。【選択図】図２
2011040948.tif 000002
【特許請求の範囲】
【請求項１】
他の無線送信装置から送信された信号を被干渉側においてキャンセルする信号を形成する適応フィルタと、
被干渉側が使用する帯域以外にパイロット信号を割り当てて、前記他の無線送信装置が送信するパイロット信号と同期して送信する送信手段と、
前記被干渉側からフィードバックされた前記帯域外のパイロット信号を用いて、チャネル推定を行うチャネル推定手段と、
推定されたチャネル値を用いて、前記適応フィルタのフィルタ係数を更新するフィルタ更新手段と、
を具備する無線送信装置。
【請求項２】
前記チャネル推定手段は、推定した前記帯域外のチャネル値を補間して前記帯域内のチャネル値を推定する請求項１に記載の無線送信装置。
【請求項３】
前記送信手段は、前記適応フィルタが収束したら、前記帯域にも信号を割り当てて送信する請求項１に記載の無線送信装置。
【請求項４】
第１の無線送信装置から送信された信号を被干渉側においてキャンセルする信号を第２の無線送信装置の適応フィルタにおいて形成する形成工程と、
被干渉側が使用する帯域以外にパイロット信号を割り当てて、前記第１の無線送信装置が送信するパイロット信号と同期して前記第２の無線送信装置から送信する送信工程と、
前記被干渉側からフィードバックされた前記帯域外のパイロット信号を用いて、前記第２の無線送信装置がチャネル推定を行うチャネル推定工程と、
推定されたチャネル値を用いて、前記適応フィルタのフィルタ係数を更新するフィルタ更新工程と、
を具備する干渉抑圧方法。
【発明の詳細な説明】
【技術分野】
【０００１】
本発明は、異なる通信システムに与える干渉を低減する無線送信装置及び干渉抑圧方法に関する。
【背景技術】
【０００２】
２００７年末に開催された世界無線通信会議（WRC-07）にて、ＩＭＴ−Ａｄｖａｎｃｅｄの移動通信サービス用に新たな周波数帯の割り当てが行われた。これにより、世界１００カ国以上の国々が３．４〜３．６ＧＨｚ帯をＩＭＴ−Ａｄｖａｎｃｅｄのサービスに使用することを表明し、この周波数帯は事実上の移動通信用国際周波数となった。
【０００３】
この帯域は、Ｃ−ｂａｎｄと呼ばれ、依然として固定衛星通信（FSS: Fixed Satellite Service）において活用されており、主に降雨減衰の激しい赤道直下の国々や広大な国土を有する国々では、テレビ放送や災害時の緊急回線として使用されている。このような国々では、ＦＳＳは重要な通信手段となっている。したがって、ＩＭＴ−ＡｄｖａｎｃｅｄではＦＳＳと同一周波数を共用するにあたり、ＦＳＳへ干渉を与えないようにする必要がある。
【０００４】
同一周波数の他システムに干渉を与えない方法の１つとして、ノイズキャンセラによる干渉抑圧処理が考えられる。このような技術として非特許文献１に開示の技術が知られている。非特許文献１には、被干渉側の受信局での干渉信号を与干渉側の送信局へフィードバックし、送信局はフィードバックされた信号に基づいて、干渉抑圧用の適応フィルタの係数を更新するという、一連の処理を繰り返すことにより、被干渉側への干渉を低減することが開示されている（図１参照）。
【先行技術文献】
【非特許文献】
【０００５】
【非特許文献１】飯國洋二著、「適応信号処理アルゴリズム」、培風館
【発明の概要】
【発明が解決しようとする課題】
【０００６】
しかしながら、適応フィルタ収束前には、最適なフィルタ係数になっているとは考えられないため、被干渉側の受信局において干渉をキャンセルすることができない。
【０００７】
そのため、仮に、伝搬路のチャネル情報が予め分かっていれば、適応フィルタをある程度収束させてから送信することが可能となり、被干渉側への干渉を低減させることができる。
【０００８】
そこで、チャネル情報を取得するため、パイロット信号等の既知信号を送信する必要が生じるが、既知信号を送信することによって被干渉側へ干渉を与えてしまうという問題がある。
【０００９】
本発明の目的は、適応フィルタが収束する前においても、被干渉側への干渉を低減させる無線送信装置及び干渉抑圧方法を提供することである。
【課題を解決するための手段】
【００１０】
本発明の無線送信装置は、他の無線送信装置から送信された信号を被干渉側においてキャンセルする信号を形成する適応フィルタと、被干渉側が使用する帯域以外にパイロット信号を割り当てて、前記他の無線送信装置が送信するパイロット信号と同期して送信する送信手段と、前記被干渉側からフィードバックされた前記帯域外のパイロット信号を用いて、チャネル推定を行うチャネル推定手段と、推定されたチャネル値を用いて、前記適応フィルタのフィルタ係数を更新するフィルタ更新手段と、を具備する構成を採る。
【００１１】
本発明の干渉抑圧方法は、第１の無線送信装置から送信された信号を被干渉側においてキャンセルする信号を第２の無線送信装置の適応フィルタにおいて形成する形成工程と、被干渉側が使用する帯域以外にパイロット信号を割り当てて、前記第１の無線送信装置が送信するパイロット信号と同期して前記第２の無線送信装置から送信する送信工程と、前記被干渉側からフィードバックされた前記帯域外のパイロット信号を用いて、前記第２の無線送信装置がチャネル推定を行うチャネル推定工程と、推定されたチャネル値を用いて、前記適応フィルタのフィルタ係数を更新するフィルタ更新工程と、を具備する構成を採る。
【発明の効果】
【００１２】
本発明によれば、適応フィルタが収束する前においても、被干渉側への干渉を低減させることができる。
【図面の簡単な説明】
【００１３】
【図１】非特許文献１に開示のノイズキャンセラによる干渉抑圧処理を示す図
【図２】本発明の一実施の形態に係るＩＭＴ送信装置の構成を示すブロック図
【図３】本発明の一実施の形態に係るＦＳＳ受信装置の構成を示すブロック図
【図４】ＦＳＳ帯域外にパイロット信号を割り当てる様子を示す図
【図５】ＦＳＳ帯域内のチャネル値を推定する様子を示す図
【図６】ＦＳＳ帯域を含んだ全帯域の信号を送信する様子を示す図
【発明を実施するための形態】
【００１４】
以下、本発明の実施の形態について、図面を参照して詳細に説明する。
【００１５】
（一実施の形態）
図２は、本発明の一実施の形態に係るＩＭＴ送信装置１００の構成を示すブロック図である。この図において、ＩＭＴ送信装置１００−１は、ＩＭＴ−Ａｄｖａｎｃｅｄの送信処理を行い、ＩＭＴ−Ａｄｖａｎｃｅｄ送信信号を送信する。ただし、ＩＭＴ送信装置１００−２の適応フィルタが収束する前の段階、すなわち、チャネル推定段階では、被干渉側のＦＳＳ受信装置が用いる帯域（ＦＳＳ帯域）には信号を割り当てずに、その他の帯域でパイロット信号を送信する。
【００１６】
また、ＩＭＴ送信装置１００−２は、ＦＳＳ受信装置から送信されたフィードバック信号に基づいて、適応フィルタ１０３を更新し、ＦＳＳ受信装置での干渉を低減する信号を送信する。
【００１７】
チャネル推定部１０１は、ＦＳＳ受信装置からフィードバックされた信号、すなわち、ＦＳＳ帯域外に割り当てられたパイロット信号によりチャネル値を推定する。また、推定したチャネル値を用いて、ＦＳＳ帯域内のチャネル値を推定する。ＦＳＳ帯域外のチャネル値及びＦＳＳ帯域内のチャネル値はフィルタ更新部１０２に出力される。
【００１８】
フィルタ更新部１０２は、チャネル推定部１０１から出力されたチャネル値を用いて、適応フィルタ１０３が収束するようにフィルタ係数を更新する。このとき、ＩＭＴ送信装置１００−２は送信を停止する。これにより、適応フィルタ１０３の初期値の精度を向上させることができる。
【００１９】
送信部１０４は、適応フィルタ１０３が収束する前の段階では、ＦＳＳ帯域には信号を割り当てずにその他の帯域にパイロット信号を割り当て、ＩＭＴ送信装置１００−１が送信するパイロット信号と同期して、適応フィルタ１０３を介して送信する。なお、この段階では、適応フィルタ１０３の適応動作は行わない。
【００２０】
図３は、本発明の一実施の形態に係るＦＳＳ受信装置２００の構成を示すブロック図である。この図において、衛星信号復調部２０１は、受信した衛星信号（受信衛星信号）の復調を行い、復調結果を図示せぬＦＳＳ ＥＳ復調処理部に出力する。
【００２１】
フィードバック部２０２は、受信衛星信号、及び、ＩＭＴ送信装置１００−１、１００−２からそれぞれ受信したＦＳＳ帯域外のパイロット信号をＩＭＴ送信装置１００−２へ有線または無線によりフィードバックする。
【００２２】
次に、上述したＩＭＴ送信装置１００−２の適応フィルタ１０３が収束するまでの処理手順について説明する。まず、ＩＭＴ送信装置１００−１及び１００−２は、図４に示すように、ＦＳＳ帯域外にパイロット信号を割り当て、同期して送信する。すなわち、ＦＳＳ帯域内には信号を割り当てない。
【００２３】
次に、ＩＭＴ送信装置１００−２のチャネル推定部１０１は、ＦＳＳ受信装置２００からフィードバックされたＦＳＳ帯域外のパイロット信号を用いてチャネル値を推定し、推定したチャネル値を補間するなどの手法によりＦＳＳ帯域内のチャネル値を推定する（図５参照）。
【００２４】
次に、ＩＭＴ送信装置１００−２のフィルタ更新部１０２は、チャネル推定部１０１で推定したチャネル値を用いて、信号を送信せずに適応フィルタを収束させる。
【００２５】
最後に、適応フィルタ１０３が収束したら、送信部１０４は、ＦＳＳ帯域を含んだ全帯域の信号を送信して、通常の適応動作を開始する（図６参照）。この結果、ＩＭＴ送信装置１００−２から送信される信号が適応フィルタを通過することにより、被干渉側のＦＳＳ受信装置において、ＩＭＴ送信装置１００−１から送信される信号をキャンセルする信号を形成することができ、ＦＳＳ受信装置における干渉を精度よく抑圧することができる。
【００２６】
このように本実施の形態によれば、ＩＭＴ送信装置の適応フィルタが収束する前では、ＦＳＳ帯域外のパイロット信号を用いてチャネル値を推定し、推定したチャネル値を補間してＦＳＳ帯域内のチャネル値を推定し、推定したＦＳＳ帯域外のチャネル値及び推定したＦＳＳ帯域内のチャネル値を用いて、適応フィルタを収束させることにより、適応フィルタが収束する前においても、被干渉側のＦＳＳ受信装置への干渉を低減させることができる。
【産業上の利用可能性】
【００２７】
本発明にかかる無線送信装置及び干渉抑圧方法は、ＩＭＴシステム等に適用できる。
【符号の説明】
【００２８】
１００−１、１００−２  ＩＭＴ送信装置
１０１  チャネル推定部
１０２  フィルタ更新部
１０３  適応フィルタ
１０４  送信部
２０１  衛星信号復調部
２０２  フィードバック部
【図１】
2011040948.tif 000003
【図２】
2011040948.tif 000004
【図３】
2011040948.tif 000005
【図４】
2011040948.tif 000006
【図５】
2011040948.tif 000007
【図６】
2011040948.tif 000008